(57)【要約】【課題】データ放送視聴時に、その放送内容と併せてユーザの位置に適った広告情報を表示させる。【解決手段】携帯端末１０が、データ放送の受信放送データに含まれるデータ表示制御信号に従って、端末ＩＤと機能範囲条件を送信して、広告管理サーバ３０に広告情報を要求すると、広告管理サーバ３０は、ＧＰＳサーバ２０に対し携帯端末１０の位置を照会する。広告管理サーバ３０は、携帯端末１０の位置に応じた地域広告情報を選択し送信する。携帯端末１０は、データ放送と併せて、所定の表示領域に、前記受信した広告情報を表示する。【選択図】図１
2007235565.tif 000002
【特許請求の範囲】
【請求項１】
地域別に作成された広告情報を格納した広告情報管理装置と、
広告情報の取得先を示すデータ表示制御信号を含んだ放送データを送信しデータ放送を行う放送装置と、
データ放送の受信機能とＧＰＳ（Ｇｌｏｂａｌ  Ｐｏｓｉｔｉｏｎｉｎｇ  Ｓｙｓｔｅｍ）測位機能を備えた携帯端末と、
前記携帯端末が受信したＧＰＳ測位データに基づいて、前記携帯端末の位置情報を演算し保存するＧＰＳサーバと、を含んで構成されるデータ放送広告配信システムであって、
前記広告情報管理装置が、
前記携帯端末からの要求に応じて、前記ＧＰＳサーバから前記携帯端末の位置情報を取得する手段と、
前記携帯端末の位置情報に対応した広告情報を前記携帯端末に対して送信する手段と、を備え、
前記携帯端末が、
前記データ放送の受信放送データに含まれるデータ表示制御信号に従って、前記広告情報管理装置に対して、広告情報を要求する手段と、
受信したデータ放送内容とともに前記広告情報管理装置より受信した広告情報を表示する手段と、を備えること、
を特徴とするデータ放送広告配信システム。
【請求項２】
前記携帯端末は、地理的な広狭範囲を示す希望範囲条件を付して、前記広告情報管理装置に対して、前記広告情報を要求し、
前記広告管理装置は、前記希望範囲条件に適合する地域の広告情報を選別して提供すること、
を特徴とする請求項１に記載のデータ放送広告配信システム。
【請求項３】
前記希望範囲条件は、携帯端末の位置を中心とする半径距離をもって指定可能であること、
を特徴とする請求項２に記載のデータ放送広告配信システム。
【請求項４】
前記希望範囲条件は、地区名又は行政区画名をもって指定可能であること、
を特徴とする請求項２に記載のデータ放送広告配信システム。
【請求項５】
ＧＰＳ（Ｇｌｏｂａｌ  Ｐｏｓｉｔｉｏｎｉｎｇ  Ｓｙｓｔｅｍ）測位機能を備えた携帯端末が受信したＧＰＳ測位データに基づいて、前記携帯端末の位置情報を演算し保存するＧＰＳサーバと接続されるとともに、
前記携帯端末向けのデータ放送に含まれる広告情報表示用アドレスを用いてアクセス可能な広告情報管理装置であって、
地域別に作成された広告情報を格納する手段と、
前記携帯端末からの広告情報の要求に応じて、前記ＧＰＳサーバから前記携帯端末の位置情報を取得する手段と、
前記携帯端末の位置情報に対応した広告情報を前記携帯端末に対して送信する手段と、を備えたこと、
を特徴とする広告情報管理装置。
【請求項６】
前記広告管理装置は、
前記携帯端末からの広告情報の要求とともに受信した地理的な広狭範囲を示す希望範囲条件に適合する地域の広告情報を選別して提供すること、
を特徴とする請求項５に記載の広告情報管理装置。
【請求項７】
データ放送の受信機能とＧＰＳ（Ｇｌｏｂａｌ  Ｐｏｓｉｔｉｏｎｉｎｇ  Ｓｙｓｔｅｍ）測位機能とを備えた携帯端末であって、
前記データ放送の受信放送データに含まれるデータ表示制御信号に従って請求項５又は６に記載の広告情報管理装置に対して広告情報を要求し、前記受信したデータ放送内容とともに前記広告情報管理装置より受信した広告情報を表示すること、
を特徴とする携帯端末。
【請求項８】
前記広告情報管理装置に対して、地理的な広狭範囲を示す希望範囲条件を付して広告情報を要求可能であること、
を特徴とする請求項７に記載の携帯端末。
【請求項９】
広告情報の取得先を示すデータ表示制御信号を含んだ放送データを送信し、
請求項７又は８に記載の携帯端末に広告情報の要求動作を行わせること、
を特徴とする放送装置。
【発明の詳細な説明】
【技術分野】
【０００１】
本発明は、データ放送広告配信システム及び該システムを構成する装置に関し、特に、携帯端末の位置情報を演算し保存するＧＰＳサーバと連係し、各携帯端末の位置に応じた広告を配信できるようにしたデータ放送広告配信システム及び該システムを構成する装置に関する。
【背景技術】
【０００２】
従来の放送は、すべての視聴者に対して単一の情報を提供するものであり、これに付随する広告情報も広域的なものに限られている。
【０００３】
また近年では、常時携帯されるという携帯端末の特性に着目して、広告情報の選択的配信を行う方法が研究されており、例えば、特開２００２−１５２１８号公報には、地域の広告情報を多数用意しておき、基地局の位置情報に関連付けられた広告情報をプッシュ配信する方法が開示されている。
【０００４】
【特許文献１】特開２００２−１５２１８号公報
【発明の開示】
【発明が解決しようとする課題】
【０００５】
上述のとおり、従来の放送では、現在地の近くにある店舗といった細かい情報等を提供することができないという問題点がある。また、上記特許文献１の方式では、地域に応じた広告を配信可能であるが、ユーザの意思に拘わり無く配信が行われるため、ユーザに視聴する気が無ければ、広告効果が上らないという問題点がある。
【０００６】
本発明は、上記した事情に鑑みてなされたものであって、その目的とするところは、データ放送と併せて、携帯端末ユーザの位置に応じた広告を配信できるようにしたデータ放送広告配信システムを提供することにある。
【課題を解決するための手段】
【０００７】
本発明の第１の視点によれば、地域別に作成された広告情報を格納した広告情報管理装置と、広告情報の取得先を示すデータ表示制御信号を含んだ放送データを送信しデータ放送を行う放送装置と、データ放送の受信機能とＧＰＳ（Ｇｌｏｂａｌ  Ｐｏｓｉｔｉｏｎｉｎｇ  Ｓｙｓｔｅｍ）測位機能を備えた携帯端末と、前記携帯端末が受信したＧＰＳ測位データに基づいて、前記携帯端末の位置情報を演算し保存するＧＰＳサーバと、を含んで構成されるデータ放送広告配信システムであって、前記広告情報管理装置が、前記携帯端末からの要求に応じて、前記ＧＰＳサーバから前記携帯端末の位置情報を取得する手段と、前記携帯端末の位置情報に対応した広告情報を前記携帯端末に対して送信する手段と、を備え、前記携帯端末が、前記データ放送の受信放送データに含まれるデータ表示制御信号に従って、前記広告情報管理装置に対して、広告情報を要求する手段と、受信したデータ放送内容とともに前記広告情報管理装置より受信した広告情報を表示する手段と、を備えること、を特徴とするデータ放送広告配信システム及び該システムを構成する各装置が提供される。
【発明の効果】
【０００８】
本発明によれば、データ放送視聴時に、その放送内容と併せてユーザの位置に適った広告情報を表示させることが可能となる。
【発明を実施するための最良の形態】
【０００９】
続いて、本発明を実施するための最良の形態について、図面を参照して詳細に説明する。図１は、本発明の第１の実施形態に係るデータ放送広告配信システムの全体構成を表した図である。図１を参照すると、本実施形態に係るデータ放送広告配信システムは、ＧＰＳ測位機能付きの携帯端末１０と、携帯端末１０から受信した測位データに基づき、携帯端末１０の位置情報を演算するネットワークアシスト型ＧＰＳサーバ２０（以下単にＧＰＳサーバと称する。）と、広告情報を格納した広告管理サーバ（広告情報管理装置）３０と、ＢＭＬ（Ｂｒｏａｄｃａｓｔ  Ｍａｒｋｕｐ  ｌａｎｇｕａｇｅ）形式のデータ信号を添付した放送データによるデジタルデータ放送を行う放送装置４０と、携帯端末１０、ＧＰＳサーバ２０及び広告管理サーバ３０を接続するインターネット５０とから構成されている。
【００１０】
図２は、本実施形態に係る携帯端末１０として利用可能な携帯電話の詳細構成を表したブロック図である。図２を参照すると、携帯端末１０は、インターネット５０やＧＰＳサーバ２０に接続するための通信部１０１と、液晶ディスプレイ装置等で構成される表示部１０２と、ボタン等で構成される操作部１０３と、マイクやレシーバ等で構成される通話部１０４と、半導体メモリ等で構成される記憶部１０５と、ＧＰＳ衛星から測位データを受信するＧＰＳ受信部１０６と、放送データ（放送波）を受信する放送受信部１０７と、各部を制御するＣＰＵ１０８とから構成される。
【００１１】
上記構成よりなる携帯端末１０は、放送装置４０からデジタルデータ放送を受信し表示部に表示する機能を備えている。表示部１０２は、図１に概略的に示したように番組映像を表示する領域とデータ情報を表示する領域に分割されており、映像信号は映像表示領域に表示される。また、データ信号（ＢＭＬデータ）に表示すべきデータが含まれている場合には、当該データに従ってデータ表示領域への表示が行われる。また、携帯端末１０は、データ表示領域に、インターネットを経由して受信した情報も表示することが可能となっている。
【００１２】
また、上記構成よりなる携帯端末１０は、現在の位置情報が知りたい場合、操作部１０３に設けられた位置情報取得ボタン１１を押下すると、図示しないＧＰＳ衛星から測位データを受信してＧＰＳサーバ２０に送信し、正確な位置を受信することが可能となっている。
【００１３】
図３は、本実施形態に係るＧＰＳサーバの詳細構成を表したブロック図である。図３を参照すると、ＧＰＳサーバ２０は、インターネット５０に接続するための通信部２０１と、携帯端末１０の位置情報を演算する処理装置（ＧＰＳ処理部）２０２と、演算した位置情報を携帯端末１０の加入者番号等の端末ＩＤと関連付けて蓄積保存する位置情報記憶装置２０３と、から構成される。
【００１４】
上記構成よりなるＧＰＳサーバ２０は、携帯端末１０から受信した測位データや必要に応じて基地局情報等を組み合わせて、携帯端末１０の緯度経度の誤差修正を行って、携帯端末１０に正確な位置データを送信することが可能となっている。
【００１５】
図４は、本実施形態に係る広告管理サーバ（広告情報管理装置）３０の詳細構成を表したブロック図である。図４を参照すると、広告管理サーバ３０は、インターネット５０に接続するための通信部３０１と、広告情報をインターネットに公開する処理や後述する地域広告情報を検索する処理等を行う処理装置（広告情報選択送信部）３０２と、広告情報を保存する広告情報記憶装置３０３とから構成される。
【００１６】
ここで、広告情報記憶装置３０３に保存されている広告情報について説明する。図５に例示したように、広告ＩＤで識別される一セットの広告情報は、標準的な（全地域で通用する）内容の広告情報（標準広告情報）と、複数の地域別の広告情報（地域広告情報）により構成されている。それぞれの広告情報には、その格納アドレス（ＵＲＬ）が設定される。また、地域別の広告情報には、その広告情報の地理的な有効範囲を示す対応位置情報（配信範囲）がそれぞれ設定されている。
【００１７】
上記構成よりなる広告管理サーバ３０は、インターネット５０を介して上記した広告情報を提供可能となっている。また、広告情報は、既知のＷＥＢコンテンツと同様に、公開されているものを利用してもよく、その場合には、該ＷＥＢコンテンツのＵＲＬが広告情報の格納アドレス（ＵＲＬ）欄に設定される。また、標準的な広告情報（標準広告情報）のＵＲＬは、予め放送装置４０に通知される。
【００１８】
放送装置４０は、デジタルデータ放送を行う公知構成の装置である。そのデータ信号（ＢＭＬデータ）には、広告管理サーバ３０から予め通知された標準的な広告情報（標準広告情報）のＵＲＬ（広告取得先ＵＲＬ）が適宜含まれているものとする。
【００１９】
続いて、本実施形態の動作について、図６のシーケンス図を参照して詳細に説明する。まず、携帯端末１０は、放送受信前（或いは放送受信中）の所定のタイミングで、位置情報取得ボタン１１を押下してＧＰＳ衛星から測位データを受信する。そして、端末ＩＤとともにＧＰＳサーバ２０に送信する（ステップＳ１０１）。
【００２０】
ＧＰＳサーバ２０は受信した測位データから携帯端末１０の位置情報を演算し、端末ＩＤと関連付けてその位置情報記憶装置２０３に保存しておく（ステップＳ１０２）。
【００２１】
一方、広告管理サーバ３０は、その広告情報記憶装置３０３に格納された標準広告情報の格納アドレス（ＵＲＬ）を放送装置４０に提供する（ステップＳ１０３）。
【００２２】
放送装置４０は、広告管理サーバ３０より受信した標準広告情報の格納アドレス（ＵＲＬ）を保存し、放送データに含めて放送する（ステップＳ１０４、Ｓ１０５）。
【００２３】
携帯端末１０は、データ放送を受信すると、その放送データから標準広告情報の格納アドレス（ＵＲＬ）を読み取り（ステップＳ１０６）、該ＵＲＬ（即ち、広告管理サーバ３０）にアクセス（広告情報の要求）する（ステップＳ１０７）。なお、携帯端末１０は、その際広告管理サーバ３０に、携帯端末１０の端末ＩＤと、希望範囲条件を送信する。
【００２４】
ここで、希望範囲条件について説明する。地域広告情報は、図５に例示したように複数の地域別に作成されている。携帯端末１０のユーザは、地理的な広狭範囲を示す希望範囲条件を予め指定し、携帯端末１０の記憶部１０５に保存することによって、地域広告情報の受信条件を緩和乃至制限することが可能となっている。希望範囲条件の指定方法は、例えば、携帯端末１０の周囲１ｋｍ、１０ｋｍといった距離による指定ができるものとする。
【００２５】
また、上記半径距離による指定に代えて、携帯端末１０の位置する地区名（市街地名称）や行政区画単位（市区町村／都道府県／地方）、あるいは、近傍のランドマークを選択することにより希望範囲条件を指定できることとしてもよい。この場合例えば、携帯端末１０のユーザが虎ノ門付近に所在しているとすると、虎ノ門、千代田区、東京都、関東地方といった段階で希望範囲条件を広狭変更することができる。
【００２６】
上記のとおり希望範囲条件を広狭変更することによって、ユーザ毎に異なる広告情報に対するスタンスや、交通機関や自動車等の移動手段を利用中であるか否か、在宅中、外出中、勤務中といった状況に応じ、受信する広告の量を選択設定することが可能となる。
【００２７】
再度、図６のシーケンス図の説明に戻ると、広告管理サーバ３０は、携帯端末１０から、前記端末ＩＤと希望範囲条件を受信する（ステップＳ１０８）と、端末ＩＤをＧＰＳサーバ２０に送信する（ステップＳ１０９）。
【００２８】
ＧＰＳサーバ２０は、位置情報記憶装置２０３から、受信した端末ＩＤに対応する位置情報を検索し（ステップＳ１１０）、広告管理サーバ３０に送信する（ステップＳ１１１）。
【００２９】
広告管理サーバ３０は、ＧＰＳサーバ２０から位置情報を受信すると（ステップＳ１１２）、携帯端末１０の位置情報と希望範囲条件に合致する地域広告情報の有無を検索する（ステップＳ１１３）。
【００３０】
携帯端末１０の位置情報と希望範囲条件に該当する地域広告情報が存在した場合は（ステップＳ１１３の「あり」）、広告管理サーバ３０は、携帯端末１０から要求された標準広告情報に代えて、前記地域広告情報を送信する（ステップＳ１１４）。即ち、標準広告情報の格納アドレス（ＵＲＬ）を、地域広告情報の格納アドレス（ＵＲＬ）に置き換える処理が行われる。
【００３１】
一方、携帯端末１０の位置情報と希望範囲条件に該当する地域広告情報が存在しなかった場合は（ステップＳ１１３の「なし」）、広告管理サーバ３０は、携帯端末１０からの要求どおり標準広告情報を送信する（ステップＳ１１５）。
【００３２】
以上の処理によって、携帯端末１０側では、受信した標準広告情報或いは地域広告情報の表示が行われる（ステップＳ１１６）。
【００３３】
以上によって、放送事業者が行うデータ放送と併せて広告情報を配信する際に、広告事業者は、ネットワークアシスト型ＧＰＳサーバを設置する携帯端末事業者等と連係し、ユーザの望む範囲（希望条件範囲）を考慮した広告情報を配信することが可能となる。
【００３４】
以上、本発明の好適な各実施形態を説明したが、本発明の技術的範囲は、上述した実施形態に限定されるものではなく、携帯端末の位置情報を演算し保存するネットワークアシスト型ＧＰＳサーバと連係し、各携帯端末の位置に応じた広告を配信するという本発明の要旨を逸脱しない範囲で、各種の変形・置換をなしうることが可能であることはいうまでもない。
【００３５】
例えば、上記した実施形態の説明では、ユーザビリティを考慮して、希望条件範囲によるマッチングも行うこととしているが、希望条件範囲を送信せずに、位置情報とマッチングする対応位置情報を有する地域広告情報を配信することとしてもよいことはもちろんである。
【００３６】
また上記した実施形態の説明では、ユーザの環境が刻々を変化することを考慮して、携帯端末１０からその都度、希望条件範囲を受信することとしているが、ＧＰＳサーバ２０又は広告管理サーバ３０に、予め端末ＩＤとともに保存しておくことも可能である。
【００３７】
また上記した実施形態の説明では、説明を省略したが、広告管理サーバ３０に格納される広告情報を、更に、ユーザの嗜好や属性別に分けて制作し、携帯端末１０から予め登録乃至送信されたユーザの嗜好や属性に応じた広告情報を配信するようにしてもよい。
【図面の簡単な説明】
【００３８】
【図１】本発明の第１の実施形態に係るデータ放送広告配信システムの全体構成を表した図である。
【図２】本発明の第１の実施形態に係る携帯端末の詳細構成を表したブロック図である。
【図３】本発明の第１の実施形態に係るネットワークアシスト型ＧＰＳサーバ（ＧＰＳサーバ）の詳細構成を表したブロック図である。
【図４】本発明の第１の実施形態に係る広告管理サーバ（広告情報管理装置）の詳細構成を表したブロック図である。
【図５】本発明の第１の実施形態に係る広告管理サーバ（広告情報管理装置）において保存される広告情報を概念的に表した図である。
【図６】本実施形態に係るデータ放送広告配信システムの動作を表したシーケンス図である。
【符号の説明】
【００３９】
１０  携帯端末
１１  位置情報取得ボタン
２０  ネットワークアシスト型ＧＰＳサーバ（ＧＰＳサーバ）
３０  広告管理サーバ（広告情報管理装置）
４０  放送装置
５０  インターネット
１０１、２０１、３０１  通信部
１０２  表示部
１０３  操作部
１０４  通話部
１０５  記憶部
１０６  ＧＰＳ受信部
１０７  放送受信部
１０８  ＣＰＵ
２０２  処理装置（ＧＰＳ処理部）
２０３  位置情報記憶装置
３０２  処理装置（広告情報選択送信部）
３０３  広告情報記憶装置
【図１】
2007235565.tif 000003
【図２】
2007235565.tif 000004
【図３】
2007235565.tif 000005
【図４】
2007235565.tif 000006
【図５】
2007235565.tif 000007
【図６】
2007235565.tif 000008